(57)【特許請求の範囲】
【請求項１】
人の爪に発症した変形爪の整形を促進する際に用いられる加熱具において、
熱伝導を有し、且つ、可塑性もしくは柔軟性または少なくとも変形爪の湾曲状を模れる弾性域撓曲変形を可能とする弾性を有する材から適宜選択され用いて、左右爪縁端方向へ架設できる略矩形の板状またはシート状に成形された熱伝導板と、
柔軟性および絶縁性および防水性を有する保護被覆体で被装され、且つ該熱伝導板の適宜位置に固着または着脱自在に設置されて成す発熱体と
で構成され、
該爪の変形状に沿って爪甲上または爪縁遊離部へ被装され加熱することで該変形爪の整形を促進できることを特徴とする、爪整形用促進加熱具。
【請求項２】
請求項１記載の爪整形用促進加熱具において、
漏水が防げる機密性を有する材と、
少なくとも爪接触面には蒸気透過性を有する材と、を用いて、
保水材を収納できる形状に形成された収納容器であって、
該収納容器が熱伝導板の爪接触面側に固着または着脱自在に設けられたことで整形を促進できることを特徴とする、爪整形用促進加熱具。
【発明の詳細な説明】
【発明の詳細な説明】
【技術分野】
【０００１】本発明は、スプーン爪、巻き爪、陥入爪、バチ爪などの多種多様な変形爪を、加熱挟圧することで、略扁平状に整形治療が行えることを目的とした、爪加熱整形装置に関する。
【背景技術】
【０００２】従来の爪用加熱押圧型のものにおいては、ギターを弾くのに不適切な爪の形状を理想的な形状へ成形するため考案された爪加熱プレス式のつめ矯正器（例えば、実用新案文献１参照）が開示されている。【０００３】また、変形爪の修復技術では、例えば、本出願人が先に提案された挟圧型のものがある。該挟圧型矯正具では、湾曲状に変形した爪の爪幅方向略中央に残存する略平状部へ爪先端部側から装着した後、湾曲変形している爪縁部まで矯正具を横摺動させることで、変形爪が矯正できる横摺動法の挟圧による巻き爪矯正具（例えば、特許文献２参照）が開示されている。また、同出願人が先に提案されたもので、変形爪の湾曲状へ模られた矯正具を変形爪部のつま先側へ装着させた後、該矯正具を平状へ塑性加工することで変形爪も該矯正具ともども扁平状に模られることで矯正できる塑性加工による陥入爪矯正具（例えば、特許文献３参照）が開示されている。
【先行技術文献】
【０００４】
【特許文献２】特開２００６−３１４７４８号公報
【特許文献３】特開２００８−２９５９８２号公報
【実用新案文献１】
実開昭５４−１５３３８９号公報
【発明が解決しようとする課題】
【０００５】爪の変形で悩まされている患者の症状の多くは、爪先端または爪縁の左右いずれかまたは両側が内側（指肉側）へ変形し指肉へ陥入する巻き爪または陥入爪、あるいは外側へめくれるように変形した、いわゆる爪が爪床から剥離するスプーン爪などがある。
【０００６】これら変形爪を略扁平状へ復元するためには、爪の変形様態と変形の起因を知る必要があるが、例えば、爪の保水量や爪厚、爪硬度、変形の進行度のほか、身体の栄養摂取状態、病歴、生活環境などの基本情報などから、爪の変形を促進した外因を探し、個々に最良の治療を見出す必要がある。
このように爪を変形させた起因となる情報は多岐にわたり、しかも複雑である。そのため、これらの爪を変形させた要因を分析し、治療にいかせる技術を習得している施術者はほとんどいないのが現状である。
【０００７】なお、実用新案文献１記載のつめ矯正器は、ギターを爪弾くのに理想的な弓状の爪形を形作るために考案されたものであって、本発明とは用途違いであり、該つめ矯正器を使用して変形爪の湾曲状や脆性の進行など疾病症状を考慮した整形治療を施せる手段等に関する記載は見当たらず、不向きである。
【０００８】また、該つめ矯正器は、例えば、本出願人が多くの変形爪治療経験および鋭意研究から、爪厚が薄い子供や女性の爪の場合は４０℃から１００℃程度の加熱温度がよく、また脆性化が進んだ老人の爪は厚く固い場合が多いので、この場合には保湿または加水を施した後、または加水しながら６０℃から３００℃の加熱温度がよいことを見出した。だが、該つめ矯正器においては発熱温度制御の幅が１２０℃から１８０℃と狭い問題点がある。また、変形爪から扁平状に整形治療する場合は、爪形が湾曲状から扁平状へと変化するので、常に安定した爪加熱を提供する必要がある。それには、加熱部が整形中の爪変形の過程の形状を追従するよう塑性または弾性変形することが必須である、がこの記述も開示されていない。
【０００９】また、本出願人が先に提案した特許文献２、３記載の押圧を用いて行った、本出願人による該整形の経験から、変形爪の発症原因まで踏み込んで分析しての矯正治療は困難であり、現行ではそれを回避するために爪へ負担をかけないよう少しずつ長期的に矯正してゆく治療しかできないという問題があった。
【００１０】本発明は、このような問題に鑑みなされたもので、変形爪を加熱することにより、爪軟化剤を用いることなく、爪の形成に関わるケラチンたん白質の側鎖結合を変性させて爪形修復が行なえるもので、爪郭や付近の皮膚に傷を有している場合や爪厚の薄い爪や老化し脆性化の進んだ整形が難しい変形爪に対しても、該傷や爪質の劣化状況や爪の変形の起因について考慮することなく、安全に、しかも短時間で整形が行えるよう促進させる爪整形用促進加熱具の提供を目的とする。
【課題を解決するための手段】
【００１１】本発明は、前記課題を解決するために、相当な研究をした後、以下の手段を見出した。
すなわち、略筒状にまで変形した巻き爪や、爪郭外方向へ爪縁部が湾曲するスプーン爪や、脆性化が進んで劈開を生じるおそれのある変形爪など、従来の矯正治療が困難であった変形爪であっても、本発明の加熱手段を用いることで、該変形爪の整形が安全に施せ、また整形後の爪形も短時間に固定できることをその要旨とする。
【００１２】
請求項１の爪整形用促進加熱具は、人の爪に発症した変形爪を加熱整形する整形用促進具であって、爪の変形箇所を適宜温度で加熱できる発熱体を用いることで、爪用矯正具を用いて容易に略扁平状へ整形が行え、また加熱された該爪から除熱することにより短時間で爪形は固定化される。
該爪整形用促進加熱具を構成する該熱伝導板は、熱伝導を有し、且つ、変形爪状や略扁平状や挟圧整形中の爪変形等に追従できる可塑性または柔軟性を有する金属または樹脂またはセラミックスまたはエラストマーまたはカーボン等から適宜選択された材を用いられ、該爪の爪甲上であって、且つ左右爪郭方向へ架設できる略矩形の板状またはシート状、または該熱伝導板が、変形爪の湾曲状を模れる弾性域撓曲変形を可能とする弾性能を有する金属または樹脂または略４０℃以上で反応するＴｉ−Ｎｉ等の材で成る形状記憶合金またはＴｉ−Ｎｉ等で成る超弾性合金などの材から適宜選択され、
左右爪縁端方向へ架設できる略矩形の板状または線細工体に形成されている。
【００１３】発熱体は、柔軟性および絶縁性および防水性を有する樹脂またはエラストマーまたはシリコンなどの材から適宜選択され成した保護被覆体で被装され、且つシースヒータまたはカーボンヒータまたはセラミックヒータまたは適宜発熱温度で設計された自己温度制御ヒータ等の電熱ヒータや、オイルヒータまたはガスヒータ等の化石燃料ヒータや、生石灰反応型ヒータや、鉄の酸化反応型ヒータや、その他のあらゆる加熱手段から適宜選択されて構成されている。なお、任意もしくは略一定発熱温度で制御可能とする加熱温度制御装置を設けることも可能である。該発熱体の設置については、該熱伝導板の上側部または爪甲側下側部または前後左右各々の横側部または内部のいずれかの適宜位置へ、少なくとも１つ以上の該発熱体を固着または着脱自在に設置される。該爪整形用促進加熱具の爪への設置手段は該熱伝導板の爪接触面側に接着剤または粘着材が塗布され、変形爪に沿って爪甲上の適宜箇所へ被装される。このように爪整形用促進加熱具は該変形爪を効率良く加熱し得ることで、爪形矯正具を用いた整形施術が容易になるよう促進できることを特徴とする。
【００１６】
請求項２に係る発明は、請求項１に係る爪整形用促進加熱具において、漏水が防げる機密性を有する金属または樹脂またはエラストマーから適宜選択された材から成るか、または、紙または不織布または布を用いて漏水を防げる機密性を保持するためシール部材で被服されて成り、且つ少なくとも爪接触面側には蒸気透過性を有する材を備えて成した収納容器が、該爪整形用促進加熱具の爪甲面側に固着または着脱自在に設けられたことで、該収納容器に収納されている保水材に含侵する水または爪軟化用水溶液を、変形している爪縁部または爪全体へ加湿できることを可能としたことを特徴とする。
【発明の効果】
【００１７】請求項１の発明によれば、発熱体を用いて該変形爪を有する片側爪縁部または両側爪縁部の爪甲面側または爪先端縁遊離部側を加熱することで、爪角質を熱変性させることにより該爪を軟化させることができることにより、挟持具または挟圧具を用いた挟圧による整形を促進することができ、また、整形された該爪に残留する熱を除去することで爪形は固定化される。
この作用を用いることで、挟圧具または挟持具を用いた爪整形を容易にし、しかも劈開を起こすことなく安全に略扁平状へ整形が行える効果を得た。またこの効果は、年少者にみられる薄厚で割裂しやすい爪や老化が進んだぶ厚く脆性化した爪をはじめ、整形が困難であったバチ爪やスプーン爪などの変形爪に対しても有効な手段であり、より多くの爪変形種への対応範囲が広がった。また施術の安全性も高まることから、施術者の技術差による治療結果の差も減少でき、患者の不安要素である治療の信頼性の向上にも貢献する。
【００１８】また、請求項１記載の爪整形用促進加熱具において、該熱伝導板が、少なくとも変形爪の湾曲状に模れる弾性域撓曲変形を可能とする弾性能を有する材で成ることで、該熱伝導板の弾性復元力による整形作用を有したことにより、該爪整形用促進加熱具自身による自己整形能を得た。すなわち、該整形具を該変形爪の爪甲形状に沿って爪甲面上に被着することで、加熱整形の作業を完結できる。このことから、挟圧を得るための挟持具等が不要となり、用具の簡素化および簡易な施術手段の提供ができる効果を得た。
【００２０】なお、請求項１記載の発熱体には、爪質および爪変形度合いから鑑みた４０℃〜３００℃の間の適宜温度で発熱設計された自己温度制御型発熱体または任意の略一定加熱温度で制御できる加熱温度制御装置が設置された発熱体を用いることも可能で、個別の爪変形の形状や爪質から鑑られた加熱設定が行えるとともに、爪への損傷や指への火傷などの傷害の防止も考慮できるなど、細やかな対応が可能となる。また、任意の一定温度で加熱設定が行える該加熱温度制御装置を設けられるようにすることで、個別の爪質に対応した安全性の確保と、安定した加熱整形が行えるとともに、施術者の治療データ収集が可能となり、治療技術の向上にも貢献できる。
【００２１】
請求項２の発明によれば、熱伝導板の爪接触面側に設けられた、水または爪軟化用水溶液を含侵する保水材が収納されている収納容器であって、該収納容器の少なくとも爪接触面側には蒸気透過性を有する材を備えて成すことで、老化または爪変形の悪化で脆性化が促進された爪や厚爪症の爪や変形が悪化した爪の場合であっても、発熱体により、該収納容器に収納さされた該液体が加熱されることで、該爪への加熱を阻害することなく、該液体を該爪へ含侵できる。これにより、液体温度や施術する外気温度環境に影響されず該爪を組成するケラチンたん白質の水素結合の切断は促進され、該爪は十分に軟化され、施術しやすい爪質にまで促進でき、劈開や割裂を予防しながら安全に整形が行える促進効果を得る。また脆性化が目視で確認できない該爪の場合であっても、整形時の安全性が確保できる効果も得る。
【発明を実施するため最良の形態】
【００２２】本発明の実施の形態を図１〜図３に基づいて説明する。なお、実施形態は以下の形態に限定されるものではなく、本発明の課題を解決しうるものであれば他の態様も実施可能である。
【実施例１】
【００２３】
本発明請求項１記載の爪整形用促進加熱具１０Ａの実施例について図１Ａ〜１Ｂを参照して説明する。
図１Ａに示されたように、爪整形用促進加熱具１０Ａのアルミ製の熱伝導板１には柔軟性を有するシリコンゴム製シート状の被覆体で被装され絶縁、防水保護され、且つ挟持具の加圧力に耐えるアルミ製の筐体で蓋を設けた、発熱最高温度１００℃設計のＰＴＣ特性自己温度制御ヒータ２（以下ＰＴＣヒータと称す）が密着している。
上記構成において動作を説明すると、変形爪の爪甲側で且つ爪先端縁側に被着されている該爪整形用促進加熱具１０Ａに備わるＰＴＣヒータ２が発熱するとアルミ製で熱伝導の良い熱伝導板１が熱せられる。このＰＴＣヒータ２は自己温度制御型であるため、自己発熱設計最高温度以上には発熱せず、施術中に何らかの原因で過電流が発生するなどの事故が発生した場合にも、温度上昇は抑止されるため危険は無く、安全性が高い。なお、記載はされていないが、発熱体の加熱により指皮膚を火傷させる可能性がある場合には、熱から指皮膚を保護できる樹脂またはエラストマーまたはシリコンまたはセラミック製または鉱物製またはガラスファイバー製の中から適宜選択された断熱材を少なくとも指肉に接触する該発熱体側に備えてもよい。【００２４】次に、装着例図１Ｂを参照して整形施術においての動作を説明すると、変形爪２１の爪甲面側であって爪先端縁で且つ両側爪縁方向に長く架設されるように粘着剤を用いて接着された爪整形用促進加熱具１０Ａを、１．該ＰＴＣヒータ２の加熱によって熱が伝導された熱伝導板１によって、熱伝導板１が被着する変形爪２１を加熱して温める。２．加熱されている間に挟持具を用いて挟圧することで略扁平状へ整形する。なお、挟圧する場合、適宜時間の同位置で連続的な接触、または爪先端縁に沿って変形爪縁端まで徐々に連続的もしくは断続的な移動で適用してもよい。３．挟圧施術終了後は速やかに該爪整形用促進加熱具１０Ａを外し、該変形爪２１に残留する熱を除いて、略扁平状への固定化され、該変形爪は整形される。なお、整形工程終了後に爪の変形再発防止に常温重合アクリル樹脂等の固定剤を爪甲面へ塗布してもよい。なお、加熱温度の設定による挟圧の時間は、１８０℃以上の場合は数秒間、４０℃程度の場合は１０分程度の接触時間を適用するとよい。また、前述以外の手段で加熱する温度と時間を設定する際は、爪を形成するケラチンたん白質の熱変性可逆域内で行うと良い。また、高温加熱を行う場合や該爪が乾燥爪など水分不足の場合には、整形施術前に該爪へ弱酸性の水分を含侵しておくことで、扁平状への整形を困難にするランチオニン結合の生成を阻害し、安定した整形を提供できる。
【実施例２】
【００２５】
本発明請求項１記載の爪整形用促進加熱具１０Ａの別の実施例である爪整形用促進加熱具１０Ｂについて図２を参照して説明する。
図２の斜視図に示された爪整形用促進加熱具１０Ｂは、熱伝導板１が、上下で対向する挟装部３、４と、該上下挟装部を連結する結合部６と、を備えたことにより、該変形爪２１へ塑性挟圧加工によって挟装できる手段が設けられ成されているものにおいて、該爪整形用促進加熱具１０Ｂは、塑性能を有する、金属または高分子化合物から適宜選択され用いられるが、該爪整形用促進加熱具１０Ｂの実施においては、挟持具を用いて塑性域変形の加工が可能なアルミ製の矩形状平板を用いて、互いに対向するよう結合部６から折り曲げられて短手方向断面略Ｕ字状を模る挟装用上側部３および挟装用下側部４とが対向するよう模られ、また、挟装用上側部３および挟装用下側部４が対向して成す変形爪２１を挿入できる爪挿入用間隙５が形成される。該挟装用上側部３の上側には有蓋のＰＴＣヒータ２が密着するよう固定されている。これらの構成で爪整形用促進加熱具１０Ｂは成る。
なお、該爪整形用促進加熱具１０Ｂの特徴は、該結合部６を圧潰方向へ塑性加工することで該爪２１を加圧整形する際、該挟装用上側部３と該挟装用下側部４が常に対向できるよう左右へのズレを規制する規制手段として該結合部６は働く。このことにより、汎用の挟持具を用いて挟圧整形が可能となった。
整形手段は、該爪挿入用間隙５へ該爪２１を挿入した状態から、該爪２１を適宜時間加熱し、該挟装用上側部３と該挟装用下側部４を塑性域挟圧加工する。該挟圧加工の際、結合部６の規制手段の作用により、該上下の挟装用部が左右にズレることがなく、挟圧力を安定して提供できるため、特別な工具や技術を用いることなく、多様な変形爪に対して安全にまた常に安定した略扁平状へ加熱整形できる効果を得ている。
【実施例３】
【００２６】
本発明請求項１記載の爪整形用促進加熱具１０Ａの別の実施例爪整形用促進加熱具１０Ｃの熱伝導板１の実施例について説明する。該熱伝導板１は、爪幅方向への湾曲状爪変形した変形爪２１の湾曲状を模れる程度の弾性域撓曲変形を可能とする弾性能を有するＴｉ−Ｎｉ（Ｎｉ濃度略５６ｗｔ％、熱処理略５００℃）超弾性合金材を用い、左右爪郭方向へ架設できるサイズで略矩形平板状に形成され、該熱伝導板１の上部に密着するように、シリコンゴムシート保護被覆体で被装された４５℃自己温度制御型ＰＴＣヒータを固着設置したことで爪整形用促進加熱具１０Ｃは構成する。
整形手段は、爪幅方向に長方矩形の熱伝導板１を、爪甲上であって、且つ、爪の先端側の爪幅方向両側縁端へ横架するよう固着した後、略４５℃設計のＰＴＣヒータにより該変形爪を加熱する。加熱により軟化した該爪が弾性応力により略扁平状に整形が進行したのが確認されたら、ヒータの電源を切り、該爪の残留熱を放熱することで、爪形を固定する。
【実施例４】
【００２７】
本発明請求項１記載の実施例である爪整形用促進加熱具１０Ｄについて図３を参照して説明する。
実施例として図３に表れている爪整形用促進加熱具１０Ｄにおいて、弾性材から適宜選択されたステンレス製材から成る矩形状平板を用いて、互いに対向するよう結合部６から折り曲げられて、挟装用上側部３と、結合部６と、熱伝導板１を成す挟装用下側部４によって模られた短手方向断面略Ｕ字状の挟持クリップを成している。また、該挟装用上側部３と該挟装用下側部４の爪接触面は平滑面を成し、該挟装用上側部３の爪幅方向平坦面部の両側端には変形爪２１の湾曲状の内周面側に沿うよう該平坦面端部の平滑面部から端部まで爪接触面が外方へ向かって湾曲状に平滑曲状面７を成し、また、該挟装用上側部３と該挟装用下側部４の夫々爪接触面が対向して、該爪２１を挟着できる間隙高を有する爪挿入用間隙５を成している。また、該挟装用上側部３の外面で且つ少なくとも爪変形面に接する箇所には有蓋のＰＴＣヒータ２が密着するよう固定されたことで爪整形用促進加熱具１０Ｄは構成する。
特徴は、挟持具や挟圧具など特別な道具を用いることなく、整形が施せることにある。
整形手段は、該爪２１の爪先端縁遊離部の爪幅方向略中央を爪挿入用間隙５へ挟入した後、加熱挟圧を加えながら、該爪２１の変形が強まる爪縁部まで挟圧力を維持した状態で横移動することにより、移動毎に位置する該爪の変形箇所を整形できる促進効果を得る。
【実施例５】
【００２８】
本発明請求項２記載の実施例について説明する。
親水性軟質ウレタンフォーム製保水材を収納する防湿紙製包装袋と該包装袋の爪接触面側には適度に蒸気透過性を有する不織布を設けて成る収納容器であって、該収納容器は熱伝導板１の爪甲接触側に設置され、本発明の爪整形用促進加熱具は形成される。
なお、保水材に含侵する液体はｐｈ６〜５の弱酸性値に調整された酸性水である。また、発熱体の発熱温度は該液体の温度が略４３℃になるよう調整されている。
施術手段は、爪変形箇所へ該爪整形用促進加熱具を装着し、発熱体により加熱された該液体を５分程度、変形爪２１へ含侵した後、該整形具を装着した常態で挟持具を用いた挟圧加工による整形を施す。このように、該爪へ加水できることによって、爪を組成するケラチンたん白質の変性が促進され、整形時の割裂を防ぐとともに、整形後の過乾燥も防げる。
【産業上の利用可能性】
【００２９】本発明は、医療用器具および美容器具の産業界において利用できる。
【図面の簡単な説明】
【００３０】
【図１】この発明の爪整形用促進加熱具１０Ａの図１Ａは斜視図、図１Ｂは第一趾爪に発症した変形爪へ装着した一例を示す正面図である。
【図２】この発明の爪整形用促進加熱具１０Ｂを示す斜視図である。
【図３】この発明の爪整形用促進加熱具１０Ｄを示した斜視図である。
【符号の説明】
【００３１】１０Ａ、１０Ｂ、１０Ｃ、１０Ｄ  爪整形用促進加熱具
１  熱伝導板、２  発熱体、３  挟装用上側部、４  挟装用下側部、５  爪挿入用間隙、６  結合部、７  平滑曲状面、２１  変形爪、３１  挟持具
【図１】
0006682124.tif 000002
【図２】
0006682124.tif 000003
【図３】
0006682124.tif 000004